【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
滅菌剤を用いて滅菌室内の対象物を滅菌する滅菌装置であって、
前記滅菌剤が投入される計量管と、
前記計量管を介して前記滅菌剤が投入される前記滅菌室と、
前記滅菌室を真空引きするための真空機器と、
前記計量管に投入された前記滅菌剤を前記滅菌室に投入する前に、前記滅菌剤が投入されている前記計量管に含まれる大気を、前記真空機器により真空引きされた前記滅菌室に吸い出すために設けられた第１弁と、
を備えることを特徴とする滅菌装置。
【請求項２】
前記計量管に投入された前記滅菌剤を前記滅菌室に投入する前に、前記滅菌剤が投入されている前記計量管に含まれる大気を、前記真空機器により真空引きされた前記滅菌室に吸い出すために、前記第１弁を開けるように制御する第１弁制御手段を更に備えることを特徴とする請求項１に記載の滅菌装置。
【請求項３】
前記第１弁制御手段は、前記計量管に投入された前記滅菌剤を前記滅菌室に投入する前に、前記滅菌剤が投入されている前記計量管に含まれる大気を、前記真空機器により真空引きされた前記滅菌室に吸い出すために、前記第１弁を所定期間開けて閉じるように制御することを特徴とする請求項２の滅菌装置。
【請求項４】
前記第１弁は、前記計量管と前記滅菌室とが導通する導管に設けられた弁であることを特徴とする請求項１乃至３の何れか１項に記載の滅菌装置。
【請求項５】
前記計量管に投入されている前記滅菌剤を前記滅菌室に投入するために設けられた第２弁と、
前記滅菌剤が投入されている前記計量管に含まれる大気が、前記真空機器により真空引きされた前記滅菌室に吸い出された後に、前記計量管に投入されている前記滅菌剤を前記滅菌室に投入するために前記第２弁を開けるように制御する第２弁制御手段と、
を更に備えることを特徴とする請求項１乃至４の何れか１項に記載の滅菌装置。
【請求項６】
前記滅菌剤が投入されている前記計量管に含まれる大気が、前記真空機器により真空引きされた前記滅菌室に吸い出された後の前記滅菌室内の気圧が所定の気圧まで減圧されたかを判定する判定手段を更に備え、
前記第２弁制御手段は、前記判定手段により、前記滅菌剤が投入されている前記計量管に含まれる大気が、前記真空機器により真空引きされた前記滅菌室に吸い出された後の前記滅菌室内の気圧が所定の気圧まで減圧されたと判定されたことを条件に、前記計量管に投入されている前記滅菌剤を前記滅菌室に投入するために前記第２弁を開けるように制御することを特徴とする請求項５に記載の滅菌装置。
【請求項７】
前記計量管は、前記計量管に投入される滅菌剤を溜める滅菌剤溜まり部と、前記計量管に前記滅菌剤と共に投入される大気を含み、当該大気を前記滅菌室に吸い出すために設けられた枝管部とを備え、
前記第１弁は、前記計量管に投入された前記滅菌剤を前記滅菌室に投入する前に、前記滅菌剤が投入されている前記計量管の前記枝管部に含まれる大気を、前記真空機器により真空引きされた前記滅菌室に吸い出すために設けられており、
前記第２弁は、前記滅菌剤が投入されている前記計量管の前記枝管部に含まれる大気が、前記真空機器により真空引きされた前記滅菌室に吸い出された後に、前記計量管の前記滅菌剤溜まり部に溜められた前記滅菌剤を前記滅菌室に投入するために設けられていることを特徴とする請求項５又は６に記載の滅菌装置。
【請求項８】
気化された滅菌剤を前記滅菌室に投入するために、前記計量管を介して投入される滅菌剤を気化する気化室を更に備え、
前記第２弁は、前記計量管に投入されている滅菌剤を前記気化室に投入するために設けられており、
前記第２弁制御手段は、前記滅菌剤が投入されている前記計量管に含まれる大気が、前記真空機器により真空引きされた前記滅菌室に吸い出された後に、前記計量管に投入されている前記滅菌剤を前記気化室に投入するために前記第２弁を開けるように制御することを特徴とする請求項５乃至７の何れか１項に記載の滅菌装置。
【請求項９】
前記第２弁は、前記計量管と前記気化室とが導通する導管に設けられた弁であることを特徴とする請求項８に記載の滅菌装置。
【請求項１０】
前記滅菌剤を濃縮する濃縮室を更に備え、
前記濃縮室を介して前記計量管に前記滅菌剤が投入されることを特徴とする請求項１乃至９の何れか１項に記載の滅菌装置。
【請求項１１】
滅菌剤が投入される計量管と、
前記計量管を介して前記滅菌剤が投入される滅菌室と、
前記滅菌室を真空引きするための真空機器と、
前記計量管に投入された前記滅菌剤を前記滅菌室に投入する前に、前記滅菌剤が投入されている前記計量管に含まれる大気を、前記真空機器により真空引きされた前記滅菌室に吸い出すために設けられた第１弁と、
を備え、前記滅菌剤を用いて前記滅菌室内の対象物を滅菌する滅菌装置における滅菌方法であって、
前記計量管に投入された前記滅菌剤を前記滅菌室に投入する前に、前記滅菌剤が投入されている前記計量管に含まれる大気を、前記真空機器により真空引きされた前記滅菌室に吸い出すために、前記第１弁を開けることを特徴とする滅菌方法。
【請求項１２】
滅菌剤を用いて滅菌室内の対象物を滅菌する滅菌装置であって、
前記滅菌剤が投入される計量管と、
前記計量管を介して前記滅菌剤が投入される前記滅菌室と、
前記滅菌室を真空引きするための真空機器と、
前記滅菌剤が投入されている前記計量管に含まれる大気を、前記真空機器により真空引きされた前記滅菌室に吸い出すために設けられた第１弁と、
前記計量管に投入されている前記滅菌剤を前記滅菌室に投入するために設けられた第２弁と、
を備えることを特徴とする滅菌装置。
【請求項１３】
滅菌剤が投入される計量管と、
前記計量管を介して前記滅菌剤が投入される滅菌室と、
前記滅菌室を真空引きするための真空機器と、
前記滅菌剤が投入されている前記計量管に含まれる大気を、前記真空機器により真空引きされた前記滅菌室に吸い出すために設けられた第１弁と、
前記計量管に投入されている前記滅菌剤を前記滅菌室に投入するために設けられた第２弁と、
を備え、前記滅菌剤を用いて前記滅菌室内の対象物を滅菌する滅菌装置における滅菌方法であって、
前記第１弁を、前記滅菌剤が投入されている前記計量管に含まれる大気を、前記真空機器により真空引きされた前記滅菌室に吸い出すために、開け、
前記第２弁を、前記計量管に投入されている前記滅菌剤を前記滅菌室に投入するために、開けることを特徴とする滅菌方法。
【手続補正２】
【補正対象書類名】明細書
【補正対象項目名】０００１
【補正方法】変更
【補正の内容】
【０００１】
本発明は、滅菌装置、滅菌方法に関し、特に、滅菌剤が投入されている計量管に含まれる大気を吸い出して滅菌作用の低下を減らすための技術に関する。
【手続補正３】
【補正対象書類名】明細書
【補正対象項目名】０００５
【補正方法】変更
【補正の内容】
【０００５】
本発明の目的は、滅菌剤が投入されている計量管に含まれる大気を吸い出して滅菌作用の低下を減らすための仕組みを提供することである。
【手続補正４】
【補正対象書類名】明細書
【補正対象項目名】０００６
【補正方法】変更
【補正の内容】
【０００６】
本発明は、滅菌剤を用いて滅菌室内の対象物を滅菌する滅菌装置であって、前記滅菌剤が投入される計量管と、前記計量管を介して前記滅菌剤が投入される前記滅菌室と、前記滅菌室を真空引きするための真空機器と、前記計量管に投入された前記滅菌剤を前記滅菌室に投入する前に、前記滅菌剤が投入されている前記計量管に含まれる大気を、前記真空機器により真空引きされた前記滅菌室に吸い出すために設けられた第１弁と、を備えることを特徴とする。
また、本発明は、滅菌剤が投入される計量管と、前記計量管を介して前記滅菌剤が投入される滅菌室と、前記滅菌室を真空引きするための真空機器と、前記計量管に投入された前記滅菌剤を前記滅菌室に投入する前に、前記滅菌剤が投入されている前記計量管に含まれる大気を、前記真空機器により真空引きされた前記滅菌室に吸い出すために設けられた第１弁と、を備え、前記滅菌剤を用いて前記滅菌室内の対象物を滅菌する滅菌装置における滅菌方法であって、前記計量管に投入された前記滅菌剤を前記滅菌室に投入する前に、前記滅菌剤が投入されている前記計量管に含まれる大気を、前記真空機器により真空引きされた前記滅菌室に吸い出すために、前記第１弁を開けることを特徴とする。
【手続補正５】
【補正対象書類名】明細書
【補正対象項目名】０００７
【補正方法】変更
【補正の内容】
【０００７】
また、本発明は、滅菌剤を用いて滅菌室内の対象物を滅菌する滅菌装置であって、前記滅菌剤が投入される計量管と、前記計量管を介して前記滅菌剤が投入される前記滅菌室と、前記滅菌室を真空引きするための真空機器と、前記滅菌剤が投入されている前記計量管に含まれる大気を、前記真空機器により真空引きされた前記滅菌室に吸い出すために設けられた第１弁と、前記計量管に投入されている滅菌剤を前記滅菌室に投入するために設けられた第２弁と、を備えることを特徴とする。
また、本発明は、滅菌剤が投入される計量管と、前記計量管を介して前記滅菌剤が投入される滅菌室と、前記滅菌室を真空引きするための真空機器と、前記滅菌剤が投入されている前記計量管に含まれる大気を、前記真空機器により真空引きされた前記滅菌室に吸い出すために設けられた第１弁と、前記計量管に投入されている前記滅菌剤を前記滅菌室に投入するために設けられた第２弁と、を備え、前記滅菌剤を用いて前記滅菌室内の対象物を滅菌する滅菌装置における滅菌方法であって、前記第１弁を、前記滅菌剤が投入されている前記計量管に含まれる大気を、前記真空機器により真空引きされた前記滅菌室に吸い出すために、開け、前記第２弁を、前記計量管に投入されている前記滅菌剤を前記滅菌室に投入するために、開けることを特徴とする。
【手続補正６】
【補正対象書類名】明細書
【補正対象項目名】０００８
【補正方法】変更
【補正の内容】
【０００８】
本願発明により、滅菌剤が投入されている計量管に含まれる大気を吸い出して滅菌作用の低下を減らすための仕組みを提供することができる。